(57)【要約】【課題】太陽電池モジュールの性能検査時に、測定プローブをプローブ接触部分に電気的に接触させて必要事項を精度良く測定できる太陽電池モジュール用の端子ボックスを提供する。【解決手段】電気部材４が半田接続される接続部分１１を有する端子板７と、太陽電池モジュールの性能検査用測定装置が備える測定プローブを電気的に接触させるプローブ接触部分１３とを樹脂製のボックス本体１の内側に備えた太陽電池モジュール用の端子ボックスであって、プローブ接触部分１３を接続部分１１から遮蔽する遮蔽壁１４を設けてある。【選択図】図３
2012151283.tif 000002
【特許請求の範囲】
【請求項１】
電気部材が半田接続される接続部分を有する端子板と、太陽電池モジュールの性能検査用測定装置が備える測定プローブを電気的に接触させるプローブ接触部分とを樹脂製のボックス本体の内側に備えた太陽電池モジュール用の端子ボックスであって、
前記プローブ接触部分を前記接続部分から遮蔽する遮蔽壁を設けてある太陽電池モジュール用の端子ボックス。
【請求項２】
前記プローブ接触部分を前記端子板に設けてある請求項１記載の太陽電池モジュール用の端子ボックス。
【請求項３】
前記電気部材が太陽電池モジュールの出力端子であり、
前記出力端子を取込可能な端子取込口が前記ボックス本体に形成され、
前記プローブ接触部分と前記接続部分とが前記端子取込口を挟んで配置され、
前記端子取込口の周縁部のうちの前記プローブ接触部分の側の周縁部分に沿って前記遮蔽壁が設けられている請求項２記載の太陽電池モジュール用の端子ボックス。
【請求項４】
前記遮蔽壁が、前記ボックス本体に一体成形されている請求項１〜３のいずれか１項記載の太陽電池モジュール用の端子ボックス。
【請求項５】
前記遮蔽壁が、前記端子板を切り起こして設けられている請求項１〜３のいずれか１項記載の太陽電池モジュール用の端子ボックス。
【発明の詳細な説明】
【技術分野】
【０００１】
本発明は、電気部材が半田接続される接続部分を有する端子板と、太陽電池モジュールの性能検査用測定装置が備える測定プローブを電気的に接触させるプローブ接触部分とを樹脂製のボックス本体の内側に備えた太陽電池モジュール用の端子ボックスに関する。
【背景技術】
【０００２】
従来の太陽電池モジュール用の端子ボックスでは、例えば太陽電池モジュールの出力端子等の電気部材が半田接続される接続部分を有する端子板が内装されている（例えば、特許文献１参照）。
【先行技術文献】
【特許文献】
【０００３】
【特許文献１】特開２００２−１４１５３７号公報
【発明の概要】
【発明が解決しようとする課題】
【０００４】
電気部材を端子板に半田接続する際には、フラックスが飛散してその接続部分の周囲に付着するおそれがある。
このため、接続部分の近くに配設されたプローブ接触部分にフラックスが付着すると、太陽電池モジュールの出力特性などを検査する性能検査時に、測定プローブとプローブ接触部分との導通に不具合が生じて必要事項を精度良く測定できないおそれがある。
本発明は上記実情に鑑みてなされたものであって、太陽電池モジュールの性能検査時に、測定プローブをプローブ接触部分に電気的に接触させて必要事項を精度良く測定できる太陽電池モジュール用の端子ボックスを提供することを目的とする。
【課題を解決するための手段】
【０００５】
本発明の第１特徴構成は、電気部材が半田接続される接続部分を有する端子板と、太陽電池モジュールの性能検査用測定装置が備える測定プローブを電気的に接触させるプローブ接触部分とを樹脂製のボックス本体の内側に備えた太陽電池モジュール用の端子ボックスであって、前記プローブ接触部分を前記接続部分から遮蔽する遮蔽壁を設けてある点にある。
【０００６】
本構成の太陽電池モジュール用の端子ボックスは、プローブ接触部分を接続部分から遮蔽する遮蔽壁を設けてある。
このため、電気部材を端子板に半田接続する際にフラックスが飛散しても、プローブ接触部分への飛散を抑制することができる。
したがって、本構成の太陽電池モジュール用の端子ボックスであれば、プローブ接触部分にフラックスが付着し難いので、測定プローブとプローブ接触部分との導通に不具合が生じ難く、太陽電池モジュールの性能検査時に、測定プローブをプローブ接触部分に電気的に接触させて必要事項を精度良く測定できる。
【０００７】
本発明の第２特徴構成は、前記プローブ接触部分を前記端子板に設けてある点にある。
【０００８】
本構成であれば、接続部分を有する端子板のプローブ接触部分に測定プローブを電気的に接触させて必要事項を精度良く測定できる。
【０００９】
本発明の第３特徴構成は、前記電気部材が太陽電池モジュールの出力端子であり、前記出力端子を取込可能な端子取込口が前記ボックス本体に形成され、前記プローブ接触部分と前記接続部分とが前記端子取込口を挟んで配置され、前記端子取込口の周縁部のうちの前記プローブ接触部分の側の周縁部分に沿って前記遮蔽壁が設けられている点にある。
【００１０】
本構成であれば、出力端子を端子取込口からボックス本体の内側に取り込む際に、出力端子がプローブ接触部分の側に入り込むことを遮蔽壁との接当で防止することができる。
【００１１】
本発明の第４特徴構成は、前記遮蔽壁が、前記ボックス本体に一体成形されている点にある。
【００１２】
本構成であれば、ボックス本体の樹脂成形時に遮蔽壁も同時に樹脂成形して設けておくことができる。
【００１３】
本発明の第５特徴構成は、前記遮蔽壁が、前記端子板を切り起こして設けられている点にある。
【００１４】
本構成であれば、端子板を板金加工により製作する際に、遮蔽壁も作製しておくことができる。
【図面の簡単な説明】
【００１５】
【図１】本発明による太陽電池モジュール用の端子ボックスの内部を示す斜視図である。
【図２】ボックス本体の内部を示す平面図である。
【図３】端子板の出力端子接続部分を示す斜視図である。
【図４】図３におけるIV−IV線断面図である。
【図５】第２実施形態を示すボックス本体の内部を示す平面図である。
【図６】第２実施形態の端子板の出力端子接続部分を示す斜視図である。
【図７】図６におけるVII −VII 線断面図である。
【図８】第３実施形態の端子板の出力端子接続部分を示す斜視図である。
【発明を実施するための形態】
【００１６】
以下に本発明の実施の形態を図面に基づいて説明する。
〔第１実施形態〕
図１は、本発明による太陽電池モジュール用の端子ボックスＡを示す。
端子ボックスＡは、樹脂製のボックス本体１と、当該ボックス本体１の開口部２を気密に塞ぐ樹脂製の蓋体３とを備えている。
【００１７】
ボックス本体１の内側には、太陽電池モジュール（図示せず）の一対の出力端子４が電気的に接続される一対の端子板７と、端子板７の夫々に電気的に接続された一対の出力ケーブル６と、端子板７どうしを電気的に接続している逆流短絡用のバイパスダイオード８などが装備されている。
出力ケーブル６の夫々は、コネクタ５を一端側に備えている。
【００１８】
図２に示すように、ボックス本体１の底板部１ａには、ボックス本体１の左右横外側方の夫々から互いに逆向きに挿通された出力ケーブル６の夫々を嵌合保持する二つのケーブル保持部９と、出力端子４の夫々を各別に取り込むための二つの矩形の端子取込口１０とが形成されている。
【００１９】
端子板７の夫々には、ケーブル保持部９に保持された出力ケーブル６の芯線６ａをカシメ固定して電気的に接続する芯線固定部７ａと、バイパスダイオード８のリード線８ａを挟持する二股爪７ｂと、二股爪７ｂに挟持されたリード線８ａを圧接させて電気的に接続するリード線圧接部７ｃとが板金加工され、端子取込口１０を通して取り込んだ出力端子４を端子板７の上面側に導入する矩形の端子導入孔７ｄが打ち抜き加工されている。
【００２０】
図３，図４に示すように、各端子板７は、端子取込口１０と端子導入孔７ｄとが連通するように底板部１ａに組付けられ、端子導入孔７ｄを挟む一方側に芯線固定部７ａが設けられ、他方側に出力端子４が半田付けされる。
したがって、電気部材としての出力端子４が半田付けによって電気的に接続される接続部分１１を有する端子板７をボックス本体１の内側に備えている。
【００２１】
各端子板７は、出力端子４が接続部分１１に半田接続された状態で太陽電池モジュールの出力特性などを検査する性能検査時に、性能検査用測定装置（図示せず）が備える測定プローブ１２のプローブ端子１２ａを電気的に接触させるプローブ接触部分１３を備えている。
【００２２】
プローブ接触部分１３は、端子板７のうちの芯線固定部７ａと端子導入孔７ｄとの間の部分に設けて、ボックス本体１の内側に備えられている。
したがって、プローブ接触部分１３と接続部分１１とが端子取込口１０を挟んで対向するように共通の端子板７に配置されている。
【００２３】
プローブ接触部分１３と接続部分１１との間には、プローブ接触部分１３を接続部分１１から遮蔽して、出力端子４が接続部分１１に半田接続される際に飛散するフラックスのプローブ接触部分１３への付着を防止する遮蔽壁１４が設けられている。
【００２４】
遮蔽壁１４は、端子取込口１０の周縁部のうちのプローブ接触部分１３の側の側縁部分に沿って、ボックス本体１に樹脂で一体成形して、端子導入孔７ｄを通して端子板７の上方に突出させてある。
【００２５】
〔第２実施形態〕
図５〜図７は、本発明の別実施形態を示す。
本実施形態では、第１実施形態で示したボックス本体１に一体成形された遮蔽壁１４に代えて、遮蔽壁１４が端子板７を上方に向けて切り起こして設けられている。
その他の構成は第１実施形態と同様である。
【００２６】
〔第３実施形態〕
図８は、本発明の別実施形態を示す。
本実施形態では、プローブ接触部分１３と接続部分１１とを隔てるスリット１５を幅広の端子板７に形成して、ボックス本体１に一体成形された遮蔽壁１４をスリット１５に入り込ませて端子板７の上方に突出させてある。
その他の構成は第１実施形態と同様である。
【００２７】
〔その他の実施形態〕
１．本発明による太陽電池モジュール用の端子ボックスは、電気部材としてのケーブルの芯線が半田接続される接続部分を有する端子板を備えていてもよい。
２．本発明による太陽電池モジュール用の端子ボックスは、電気部材としてのバイパスダイオードのリード線が半田接続される接続部分を有する端子板を備えていてもよい。
３．本発明による太陽電池モジュール用の端子ボックスは、遮蔽壁で接続部分から遮蔽されるプローブ接触部分が、その接続部分を有する端子板とは別の端子板に設けられたものであってもよい。
４．本発明による太陽電池モジュール用の端子ボックスは、三個以上の端子板をボックス本体の内側に備えていてもよい。
【符号の説明】
【００２８】
１  ボックス本体
４  電気部材（出力端子）
７  端子板
１０  端子取込口
１１  接続部分
１２  測定プローブ
１３  プローブ接触部分
１４  遮蔽壁
【図１】
2012151283.tif 000003
【図２】
2012151283.tif 000004
【図３】
2012151283.tif 000005
【図４】
2012151283.tif 000006
【図５】
2012151283.tif 000007
【図６】
2012151283.tif 000008
【図７】
2012151283.tif 000009
【図８】
2012151283.tif 000010